(57)【要約】      （修正有）【課題】受信電界強度に応じてＦＭ信号の信号レベルを調整するソフトミュート回路において、要求される様々なミュート特性を実現することが可能なミュート回路を提供する。【解決手段】抵抗値Ｒ０〜１３を切換える抵抗値切換え手段ＳＷ０〜１３を有し、該抵抗値を切換えることによって前記信号レベルを任意のレベルに調整するミュート回路１０８と、前記受信電界強度をデジタル化して受信電界強度データを生成するデジタル変換回路と、該受信電界強度データに応じて前記抵抗値切換え手段ＳＷ０〜１３を操作して所定のミュート特性を実現する複数の論理回路１０７ａ、ｂと、該複数の論理回路１０７ａ、ｂから所望のミュート特性を実現する論理回路１０７ａ、ｂを選択する選択手段ＳＷｂとにより構成する。【選択図】図２
2007336013.tif 000002
【特許請求の範囲】
【請求項１】
受信電界強度に応じてＦＭ信号の信号レベルを調整するソフトミュート回路において、
抵抗値を切換える抵抗値切換え手段を有し、該抵抗値を切換えることによって前記信号レベルを任意のレベルに調整するミュート回路と、
前記受信電界強度をデジタル化して受信電界強度データを生成するデジタル変換回路と、
該受信電界強度データに応じて前記抵抗値切換え手段を操作して所定のミュート特性を実現する複数の論理回路と、該複数の論理回路から所望のミュート特性を実現する論理回路を選択する選択手段と、を有するデジタル制御回路と、
を備えるソフトミュート回路。
【請求項２】
前記ミュート回路は、負帰還部に前記抵抗値切換え手段を有する反転増幅回路である、
ことを特徴とする請求項１に記載のソフトミュート回路。
【請求項３】
前記論理回路は、受信電界強度データが小さくなるに応じて前記信号レベルを小さくするミュート特性を実現する、
ことを特徴とする請求項１に記載のソフトミュート回路。
【発明の詳細な説明】
【技術分野】
【０００１】
本発明は、ラジオ受信機の受信レベルの低下に応じて、出力信号等にミュート処理を施してノイズを低減させるミュート回路に関する。
【背景技術】
【０００２】
一般に、ラジオ用ＩＣ（Ｉｎｔｅｇｒａｔｅｄ  Ｃｉｒｃｕｉｔ）は、受信レベルの低下に応じて徐々に（段階的に）その出力信号に対してミュート処理を施すミュート回路を備えている。このミュート処理により、聴取者が感じるノイズ感を低減して聴感を向上している。
【０００３】
ミュート処理は、ＲＳＳＩ回路等によって検出した受信電界強度に応じてミュート回路の利得を調整することで実現される。また、ソフトミュート処理の場合、受信電界強度をデジタル化して得られる受信電界強度データに応じてミュート回路の利得をデジタル的に制御することで実現される。
【０００４】
特許文献１には、ワイドバンド受信機等において受信周波数によって感度が異なる場合、弱電界受信時にミュート量が大きくなって音揺れが発生することがないようにミュート補正することができるソフトミュートの補正回路について開示されている。
【０００５】
特許文献２には、ミュート回路およびサーチストップ信号検出回路のそれぞれに最適な時定数特性を得るための外部部品の接続用端子を削減してＩＣ全体の端子数を削減することで、ＩＣの小型化および価格の低減を実現するＦＭ受信機用半導体集積回路について開示されている。
【特許文献１】特開２０００−１６５２６６号公報
【特許文献２】特開２００１−２６７９５１号公報
【発明の開示】
【発明が解決しようとする課題】
【０００６】
しかし、聴感の善し悪しは聴取者の主観に依拠する。例えば、ラジオ用ＩＣを製造する場合、その供給を受けるメーカー毎に要求するミュート特性が異なるため、メーカー毎に異なるミュート回路を備えたラジオ用ＩＣを用意する必要があるという問題があった。
【０００７】
本発明は、上述した問題に鑑みてなされたものであり、その解決しようとする課題は、要求される様々なミュート特性を実現することが可能なミュート回路を提供することである。
【課題を解決するための手段】
【０００８】
上記課題を解決するために、本発明に係るソフトミュート回路は、受信電界強度に応じてＦＭ信号の信号レベルを調整するソフトミュート回路において、抵抗値を切換える抵抗値切換え手段を有し、該抵抗値を切換えることによって前記信号レベルを任意のレベルに調整するミュート回路と、前記受信電界強度をデジタル化して受信電界強度データを生成するデジタル変換回路と、該受信電界強度データに応じて前記抵抗値切換え手段を操作して所定のミュート特性を実現する複数の論理回路と、該複数の論理回路から所望のミュート特性を実現する論理回路を選択する選択手段と、を有するデジタル制御回路と、を備える。
【０００９】
本発明によると、各論理回路は、ミュート回路が有する抵抗切換え手段を操作することによって所定のミュート特性を実現する。そして、デジタル制御回路が有する選択手段を用いて論理回路を切換えることによって、所望のミュート特性を実現するミュート処理を実行することが可能となる。
【発明の効果】
【００１０】
以上のように、本発明によると、要求される様々なミュート特性を実現することが可能なミュート回路を提供することができる。
【発明を実施するための最良の形態】
【００１１】
以下、本発明の実施形態について図１〜図５に基づいて説明する。なお、本実施形態に係るソフトミュート回路は、ｐチャンネルとｎチャンネルＭＯＳトランジスタを製造できるＣＭＯＳプロセスにより半導体回路基板上に成形される。
【００１２】
図１は、本発明の実施例に係るソフトミュート回路を使用したＦＭラジオ受信機１００の構成例を示すブロック図である。
図１に示すＦＭラジオ受信機１００は、スーパへテロダイン方式のＦＭラジオ受信機の主要部であり、受信した放送波からステレオ信号を生成するためのＲＦ（Ｒａｄｉｏ  Ｆｒｅｑｕｅｎｃｙ）部１０１、ＩＦ（Ｉｎｔｅｒｍｅｄｉａｔｅ  Ｆｒｅｑｕｅｎｃｙ）信号を生成するＩＦ部１０２、リミッタアンプ１０３、ＦＭ検波回路１０４、受信電界強度を検出するＲＳＳＩ回路（Ｒｅｃｅｉｖｅｄ  Ｓｉｇｎａｌ  Ｓｔｒｅｎｇｔｈ  Ｉｎｄｉｃａｔｏｒ）１０５と、受信電界強度をデジタル化して受信電界強度データを生成するＡＤＣ（Ａｎａｌｏｇ  ｔｏ  Ｄｉｇｉｔａｌ  Ｃｏｎｖｅｒｔｅｒ）回路１０６、受信電界強度データに応じてミュート回路１０８を制御するデジタル制御回路１０７、及びＦＭ検波回路１０４が出力するＦＭ信号に対してミュート処理を施すミュート回路１０８、を備える。
【００１３】
アンテナ１０９で受信した放送波は、ＲＦ部１０１によって以降の処理に必要なレベルまで増幅されるとともに、希望波以外の信号が減衰される。そして、ＩＦ部１０２が備える、例えば、局部発振回路の信号と混合することによってＩＦ信号に変換される。
【００１４】
ＩＦ信号は、リミッタアンプ１０３で振幅が制限され振幅一定のＦＭ信号となる。そして、パルス検波回路等で構成されるＦＭ検波回路１０４でＦＭ検波が行なわれ、ミュート回路１０８を介してバッファ等１１０に入力される。バッファ等１１０では、ＦＭ信号からステレオ信号を生成しスピーカー等に出力される。
【００１５】
一方、リミッタアンプ１０３の出力信号（ＩＦ信号）は、ＲＳＳＩ回路１０５にも出力される。そして、ＲＳＳＩ回路１０５において受信電界強度が検出される。ＡＤＣ回路１０６は、検出された受信電界強度をデジタル化して受信電界強度データを生成し、デジタル制御回路１０７に出力する。デジタル制御回路１０７は、受信電界強度データに応じたミュート信号を生成してミュート回路１０８に出力する。
【００１６】
ミュート回路１０８は、ＦＭ検波回路１０４から入力されるＦＭ信号に対してミュート信号に応じたミュート処理を行なう。すなわち、受信電界強度データが小さくなるに応じて、バッファ等１１０への出力信号レベルを小さくする。
【００１７】
また、デジタル制御回路１０７は、ミュート信号を生成する複数の論理回路を選択可能に備える。各論理回路は異なるミュート特性を実現する。
以上の説明において、本発明の実施例に係るソフトミュート回路は、ＡＤＣ回路１０６、デジタル制御回路１０７及びミュート回路１０８で構成される。
【００１８】
図２は、本発明の実施例に係るソフトミュート回路を説明する図である。なお、本実施例に係るソフトミュート回路は、ＡＤＣ回路１０６、デジタル制御回路１０７及びミュート回路１０８で構成されるが、ＡＤＣ回路１０６はアナログ信号（受信電界強度）をデジタル信号（受信電界強度データ）に変換する一般的な回路なので説明を省略する。
【００１９】
デジタル制御回路１０７は、論理回路１０７ａ及び１０７ｂと、論理回路を選択するスイッチＳＷｂと、を備える。
論理回路１０７ａ及び１０７ｂは、それぞれ独立して動作し、ＡＤＣ回路１０６から入力される受信電界強度データに応じてミュート信号を生成する。なお、本実施例に係るミュート信号とは、ミュート回路１０８のスイッチＳＷ０〜ＳＷ１５のＯＮ／ＯＦＦを制御する例えば４ビットの制御信号である。
【００２０】
したがって、論理回路１０７ａ及び１０７ｂは、受信電界強度データに応じてスイッチＳＷ０〜ＳＷ１５のＯＮ／ＯＦＦを制御することによってミュート回路１０８の利得を調整し、所定のミュート特性を実現する。
【００２１】
なお、本実施例に係るデジタル制御回路１０７における論理回路１０７ａ及び１０７ｂは、例えば、ＦＰＧＡ（Ｆｉｅｌｄ  Ｐｒｏｇｒａｍｍａｂｌｅ  Ｇａｔｅ  Ａｒｒａｙ）やＣＰＬＤ（Ｃｏｍｐｌｅｘ  Ｐｒｏｇｒａｍｍａｂｌｅ  Ｌｏｇｉｃ  Ｄｅｖｉｃｅ）によって実現できる。
【００２２】
ミュート回路１０８は、オペアンプ２１と、抵抗Ｒａ及び抵抗Ｒ０〜Ｒ１５と、ミュート信号に応じてＯＮ／ＯＦＦが切り替わるスイッチＳＷ０〜ＳＷ１５と、を備える。
負帰還部の抵抗Ｒ０〜Ｒ１５は直列に接続されており、本実施例では、抵抗Ｒ０の抵抗値をｒ、抵抗Ｒ１〜Ｒ１５の抵抗値を２ｒとする。また、抵抗Ｒａの抵抗値を３１ｒとする。ただし、説明を簡単にするためであって、抵抗Ｒ０及びＲ１〜Ｒ１５の抵抗値を限定するものではない。必要に応じて適当な抵抗値を使用すればよい。
【００２３】
また、負帰還部の各抵抗間にはＳＷ０〜ＳＷ１５が接続され、デジタル制御回路１０７からのミュート信号に応じてＯＮ／ＯＦＦを切換えて抵抗値をｒ〜３１＊ｒまで変化させることができる。
【００２４】
ここで、ミュート回路１０８の利得は、以下の式（１）で求めることができる。
Ｇａｉｎ  ＝  ２０＊ｌｏｇ（（ｒ＋２ｒ＊ｎ）／３１ｒ）
＝  ２０＊ｌｏｇ（（１＋  ２＊ｎ）／３１  ）    ・・・・・      （１）
したがって、本実施例に係るソフトミュート回路では、デジタル制御回路１０７によってミュート回路１０８を制御することにより、利得を−２９．８〜０．０まで変化させることができる。
【００２５】
以下、本発明の実施例に係るデジタル制御回路１０７の動作について図３及び図４に基づいて説明する。
図３は、本発明の実施例に係る論理回路１０７ａの動作を説明する図である。図３に示すテーブルは、ＲＳＳＩ回路１０５が検出する受信電界強度と、受信電界強度をデジタル化した受信電界強度データと、受信電界強度データに応じてＯＮ状態とするスイッチと、の関係を示す。
【００２６】
例えば、論理回路１０７ａが、ＡＤＣ回路１０６から受信電界強度データ「００１０１１（２進数、以下同じ）」を受信すると、ミュート信号をミュート回路１０８に送信してスイッチＳＷ１をＯＮ状態にするとともに他のスイッチをＯＦＦ状態にする。同様に、論理回路１０７ａは、ＡＤＣ回路１０６から受信電界強度データ「００１１００」を受信すると、ミュート信号をミュート回路１０８に送信してスイッチＳＷ２をＯＮ状態にするとともに他のスイッチをＯＦＦ状態にする。
【００２７】
同様にして順次ＡＤＣ回路１０６から受信する受信電界強度データに応じたミュート信号をミュート回路１０８に送信してスイッチＳＷ０〜ＳＷ１５のＯＮ／ＯＦＦを切換える。
【００２８】
図４は、本発明の実施例に係る論理回路１０７ｂの動作を説明する図である。図４に示すテーブルも図３と同様に、ＲＳＳＩ回路１０５が検出する受信電界強度と、受信電界強度をデジタル化した受信電界強度データと、受信電界強度データに応じてＯＮ状態とするスイッチと、の関係を示す。
【００２９】
例えば、論理回路１０７ｂが、ＡＤＣ回路１０６からから受信電界強度データ「００１１００」又は「００１１０１」を受信すると、ミュート信号をミュート回路１０８に送信してスイッチＳＷ１をＯＮ状態にするとともに他のスイッチをＯＦＦ状態にする。同様に、論理回路１０７ｂは、ＡＤＣ回路１０６から受信電界強度データ「００１１１０」または「００１１１１」を受信すると、ミュート信号をミュート回路１０８に送信してスイッチＳＷ２をＯＮ状態にするとともに他のスイッチをＯＦＦ状態にする。
【００３０】
同様にして順次ＡＤＣ回路１０６から受信する受信電界強度データに応じたミュート信号をミュート回路１０８に送信してスイッチのＯＮ／ＯＦＦを切換える。
ここで、論理回路１０７ａ及び１０７ｂがミュート信号によって上述のようにスイッチＳＷ０〜ＳＷ１５を切換えるためには、例えば、ｐチャネルＭＯＳトランジスタとｎチャネルＭＯＳトランジスタとを並列に接続して構成するトランスファーゲートを使用し、対象のスイッチを構成するトランスファーゲートのゲート電圧をＨｉｇｈにするミュート信号を生成すればよい。
【００３１】
以上に説明した処理によって、ＦＭ検波回路１０４で検出されたＦＭ信号は、オペアンプ２１においてデジタル制御回路１０７からのミュート信号に応じたミュート処理が行なわれてバッファ等１１０に出力される。
【００３２】
図５は、本発明の実施例に係るソフトミュート回路のミュート特性を示す図である。
図５は、ＲＳＳＩ回路１０５が検出する受信電界強度とミュート回路１０８の利得との関係を示している。
【００３３】
実線で示すミュート特性は、図３に示した動作をする論理回路１０７ａによってミュート回路１０８を制御した場合に得られるミュート特性を示している。また、一点破線で示すミュート特性は、図４に示した動作をする論理回路１０７ｂによってミュート回路１０８を制御した場合に得られるミュート特性を示している。
【００３４】
図５に示すように、デジタル制御回路１０７で動作する論理回路を切り替えることによって異なるミュート特性を得ることが可能となる。
以上の説明において、本実施例に係るデジタル制御回路１０７は、２つの異なるミュート特性を実現する論理回路を使用している例を示したが、これに限定する趣旨ではない。必要に応じて、異なるミュート特性を実現する複数の論理回路をデジタル制御回路１０７に選択可能に備えてもよいのは当然である。
【００３５】
以上に説明したように、異なるミュート特性を実現する論理回路をデジタル制御回路に複数備えて必要に応じて使用する論理回路を切換えることによって、所望のミュート特性を得ることが可能となる。
【００３６】
その結果、利用者の様々な用途（要求）に応じたミュート特性を実現するソフトミュート回路を実現することが可能となる。また、１つのＩＣで利用者の様々な用途（要求）に応じたミュート特性を実現するラジオ用ＩＣを提供することが可能となり、製造コストを低減することが可能となる。
【図面の簡単な説明】
【００３７】
【図１】本発明の実施例に係るソフトミュート回路を使用したＦＭラジオ受信機の構成例を示すブロック図である。
【図２】本発明の実施例に係るソフトミュート回路を説明する図である。
【図３】本発明の実施例に係る論理回路１０７ａの動作を説明する図である。
【図４】本発明の実施例に係る論理回路１０７ｂの動作を説明する図である。
【図５】本発明の実施例に係るソフトミュート回路のミュート特性を示す図である。
【符号の説明】
【００３８】
１０４    ・・・  ＦＭ検波回路
１０５    ・・・  ＲＳＳＩ回路
１０６    ・・・  ＡＤＣ回路
１０７    ・・・  デジタル制御回路
１０７ａ  ・・・  論理回路
１０７ｂ  ・・・  論理回路
１０８    ・・・  ミュート回路
【図１】
2007336013.tif 000003
【図２】
2007336013.tif 000004
【図３】
2007336013.tif 000005
【図４】
2007336013.tif 000006
【図５】
2007336013.tif 000007